(57)【要約】【課題】一対のレール部材に取り付けられ、簡単に脱落せず、かつ、一対のレール部材に摺動する部材の開閉に干渉することのない利便性の高い掛け具及び掛け具セットを提供する。【解決手段】掛け具１ａは、壁面側カーテンレール８における下側の屋内側カーテンレール９側と、屋内側カーテンレール９における上側の壁面側カーテンレール８側とに接して、屋内側カーテンレール９と壁面側カーテンレール８との間に挟まって保持される長尺の保持棒２ａと、保持棒２ａの一端部から延出する掛け部３ａと、を備える。保持棒２ａは、一端部の逆側の他端部に対して分岐し、保持棒２ａから一側に突出して形成され、壁面側カーテンレール８に係止する足長壁面側ストッパー５ｂと、他端部側において、一側の逆側に突出して形成され、屋内側カーテンレール９に係止する屋内側ストッパー６ｂと、を有する。【選択図】図４
2015107320.tif 000002
【特許請求の範囲】
【請求項１】
壁面に並行して固定され、前記壁面側の外側レールと前記壁面から離間する側の内側レールとから構成される一対のレール部材に取り付けられる掛け具であって、
前記外側レールにおける下側の前記内側レール側と、前記内側レールにおける上側の前記外側レール側とに接して、前記内側レールと前記外側レールとの間に挟まって保持される長尺の保持棒と、
前記保持棒の一端部から延出する掛け部と、を備え、
前記保持棒は、
前記一端部の逆側の他端部に対して分岐し、前記保持棒から一側に突出して形成され、前記外側レールに係止する外側脱落防止ストッパーと、
前記他端部側において、前記保持棒から前記一側の逆側である他側に突出して形成され、前記内側レールに係止する内側脱落防止ストッパーと、を有することを特徴とする掛け具。
【請求項２】
前記保持棒は、前記一側に突出して形成されて前記外側レールに係止する潜り防止ストッパーを更に有し、
該潜り防止ストッパーは、前記外側脱落防止ストッパーよりも前記他端部側に形成されていることを特徴とする請求項１に記載の掛け具。
【請求項３】
前記外側脱落防止ストッパーは、前記保持棒の側面に取り付けられており、前記保持棒よりも幅広に形成されていることを特徴とする請求項１又は２に記載の掛け具。
【請求項４】
前記外側脱落防止ストッパーにおける前記壁面に接触する外側端部は、他の部位よりも幅広に形成されていることを特徴とする請求項１乃至３のいずれか一項に記載の掛け具。
【請求項５】
前記外側脱落防止ストッパーは、前記保持棒の一方の側面に取り付けられており、前記壁面に接触する外側端部が幅方向において前記保持棒の他方の側面を越える位置まで延在して形成されていることを特徴とする請求項１乃至４のいずれか一項に記載の掛け具。
【請求項６】
前記外側脱落防止ストッパーは、前記保持棒の側面に回動可能に取り付けられており、
前記保持棒又は前記外側脱落防止ストッパーの一方には、双方の相対的な回動を規制する回動規制部を備えることを特徴とする請求項１乃至５のいずれか一項に記載の掛け具。
【請求項７】
前記内側脱落防止ストッパーは、前記保持棒の側面に回動可能に取り付けられており、
前記保持棒又は前記内側脱落防止ストッパーの一方には、双方の相対的な回動を規制する内側回動規制部を備えることを特徴とする請求項１乃至６のいずれか一項に記載の掛け具。
【請求項８】
前記保持棒には、前記外側脱落防止ストッパーよりも前記一端部側に、前記内側脱落防止ストッパー側に屈折した渡し部が形成されていることを特徴とする請求項１乃至７のいずれか一項に記載の掛け具。
【請求項９】
前記内側脱落防止ストッパーは、前記内側レールにおける下側の前記外側レール側に当接可能な向きで突出していることを特徴とする請求項１乃至８のいずれか一項に記載の掛け具。
【請求項１０】
前記外側脱落防止ストッパーと前記保持棒との接合部を起点としたとき、該起点から前記外側脱落防止ストッパーの端部までの距離は、前記起点から前記保持棒の前記他端部までの距離よりも長いことを特徴とする請求項１乃至９のいずれか一項に記載の掛け具。
【請求項１１】
前記外側脱落防止ストッパー及び前記内側脱落防止ストッパーの少なくとも一方は、その長さを調節可能なアジャスターを具備することを特徴とする請求項１乃至１０のいずれか一項に記載の掛け具。
【請求項１２】
前記保持棒と前記外側脱落防止ストッパーとを取り付ける外側締結具を備え、
前記外側脱落防止ストッパーは、前記保持棒に重なる方向に貫通する貫通孔を有し、該貫通孔を通る前記外側締結具を回転中心として所定の角度で、前記保持棒に取り付けられていることを特徴とする請求項１乃至１１のいずれか１項に記載の掛け具。
【請求項１３】
前記外側脱落防止ストッパーは、前記外側締結具によって、前記保持棒と前記掛け部とに略並行な平面上の回転における所定の角度で、前記保持棒に取り付けられていることを特徴とする請求項１２に記載の掛け具。
【請求項１４】
前記保持棒と前記内側脱落防止ストッパーとを取り付ける内側締結具を備え、
前記内側脱落防止ストッパーは、前記保持棒に重なる方向に貫通する貫通孔を有し、該貫通孔を通る前記内側締結具を回転中心として所定の角度で、前記保持棒に取り付けられていることを特徴とする請求項１乃至１３のいずれか一項に記載の掛け具。
【請求項１５】
前記内側脱落防止ストッパーは、前記内側締結具によって、前記保持棒と前記掛け部とに略並行な平面上の回転における所定の角度で、前記保持棒に取り付けられていることを特徴とする請求項１４に記載の掛け具。
【請求項１６】
前記掛け部は、ドーナツ状又は上部の欠けた円弧状であることを特徴とする請求項１乃至１５のいずれか一項に記載の掛け具。
【請求項１７】
前記内側脱落防止ストッパー、前記外側脱落防止ストッパーの双方、又はそのどちらかが、復元力を有する可撓性材料で形成されていることを特徴とする請求項１乃至１６のいずれか一項に記載の掛け具。
【請求項１８】
請求項１乃至１７のいずれか１項に記載の複数の掛け具と、該複数の掛け具の前記掛け部に掛け渡された懸架部材とを備えることを特徴とする掛け具セット。
【発明の詳細な説明】
【技術分野】
【０００１】
本願発明は、掛け具及び掛け具セットに係り、特に、カーテンレールに取り付けて洗濯物等を掛ける掛け具及び掛け具セットに関するものである。
【背景技術】
【０００２】
洗濯物を屋外に干す場合、外気に含まれる大陸からの黄砂や花粉等が洗濯物に付着し、洗濯物に触れる人の健康を損なう危険性がある。また、高層マンションなどでは、物干し作業中に転落する危険があることや、女性の一人暮らしなどでは、外に干された女性ものの着衣が視認されることにより、犯罪に巻き込まれる危険性があるほか、洗濯物の落下によって階下に迷惑をかける可能性があること等、健康面、安全面、防犯面及び公の秩序に鑑みて、洗濯物を屋内に干す慣習が広まりつつある。
【０００３】
屋内干しでは、洗濯物を窓際に掛けて干すことで、太陽光に含まれる赤外線による熱の効果で乾燥を促進させるようにするのが一般的である。しかしながら、洗濯物を窓際に掛けた場合には、カーテンや窓、網戸に付着していた汚れが洗濯物に移る問題や、逆に、濡れた洗濯物にカーテンが触れることによって輪染みが生じる問題があった。とりわけ冬場は、洗濯物に押されたカーテンが結露した窓に触れることにより、カーテンが大量に吸湿してカビが発生する問題があり、洗濯物をカーテンから離間させて干す必要があった。
【０００４】
特許文献１は、洗濯物をカーテンから離間させて干すことを可能とする物干し具が開示されている。しかしながら、この物干し具を取り付けるには、壁面に新たに穴を開ける必要があり、女性や高齢者では作業が困難であることや、賃貸物件などでは、壁面や備え付けのカーテンレールに新たな穴を開けることを禁止している場合が多くあり、取り付け上の問題があった。
【０００５】
これに対し、特許文献２では、既設のカーテンレールの留め金を活用して物干し具を固定する技術が開示されており、壁面に新たに穴を開ける必要がない。しかしながら、すでにカーテンの掛かっているカーテンレールの留め具を外す必要があり、この留め具を外す作業は、カーテンレールが落下する恐れがあり、容易に行えるものではなかった。特に、カーテンの重さがかかった状態での留め具の取り付け及び取り外しは、その落下を防ぐために支持する力を要する。また、カーテンを外すようにすれば、そのような力を要しないが、カーテンの取り外しに、複数のカーテンレールフックをカーテンレールランナーから外さなければならず、作業性が非常に悪かった。このため、女性や高齢者が一人で物干し具をカーテンレールに取り付けることは困難であると同時に、不要時の取り外しも非常に困難であった。
【０００６】
これら問題に対し、カーテンレールを用いた洗濯物掛け用の掛け具で、とりわけ、壁やカーテンレールに穴を開ける必要がなく、ネジ止めや釘打ちなどの工具を用いた作業を行わずしても設置、取り外しが簡単にできる掛け具が特許文献３に開示されている。
【０００７】
また、特許文献４や特許文献５には、２本のカーテンレールの間に支持部を通し、壁面側カーテンレールの下側、及び屋内側カーテンレールの上側に支持部を渡すようにすることにより、掛け具の可動域を制限して簡易固定する掛け具が開示されている。
【先行技術文献】
【特許文献】
【０００８】
【特許文献１】特開２０１０−１３１３４４号公報
【特許文献２】特開２０００−０６１１９５号公報
【特許文献３】特開２００５−２４５５１２号公報
【特許文献４】特開２００８−０９３３８９号公報
【特許文献５】特開平０８−２９９６９４号公報
【発明の概要】
【発明が解決しようとする課題】
【０００９】
カーテンレールに取り付けた掛け具に洗濯物を掛ける場合、洗濯物の重量による掛け具やカーテンレールへの負荷を考慮して、掛け具やカーテンレールの耐力を超えないように、また、カーテンレールが壁面から外れることがないようにする必要がある。更には、洗濯物を取り外した際に解放される掛け具自身の復元力、及びカーテンレールからの反力を考慮しなくては、掛け具が不意に脱落してしまったり、掛け具が跳ねることで作業者に危険を及ぼしたりする可能性がある。
【００１０】
この点で、特許文献３に開示されているような、カーテンレールに置くことを主眼とした壁面側カーテンレールに引っ掛けるだけの構造では、洗濯物を掛け具から取り外した際に、掛け具自身の復元力、及びカーテンレールからの反力によって、掛け具がカーテンレールから容易に外れたり、掛け具が跳ね上がることで作業者が怪我をしたりする可能性がある。
【００１１】
また、特許文献４や特許文献５に開示された掛け具においては、掛け具に洗濯物を掛けているときには問題が生じないが、洗濯物を掛け具から取り外したときには、掛け具自身の復元力、及びカーテンレールからの反力によって、掛け具における屋内側カーテンレールに触れている部分が支点となり、掛け具が天井方向に跳ね上がって脱落する問題が生じる。更に、壁面側カーテンレールの下方に支持部が渡されており、レール内のカーテンの摺動に干渉するためにカーテンが開閉不能となるという問題、つまり、壁面側カーテンレールを機能不全にするという問題が新たに発生する。
【００１２】
本願発明は、上記課題に鑑みてなされたものであり、その目的とするところは、一対のレール部材に取り付けられ、簡単に脱落せず、かつ、一対のレール部材に摺動する部材の開閉に干渉することのない利便性の高い掛け具及び掛け具セットを提供することにある。
また、本願発明の他の目的は、壁やレール部材に加工を施すことなく、また、工具や接着剤を用いずとも簡単に取り付けられ、不要時に簡単に取り外すことができる洗濯物等を掛ける掛け具及び掛け具セットを提供することにある。
【課題を解決するための手段】
【００１３】
前記課題は、本願発明の第１の観点に係る掛け具によれば、壁面に並行して固定され、前記壁面側の外側レールと前記壁面から離間する側の内側レールとから構成される一対のレール部材に取り付けられる掛け具であって、前記外側レールにおける下側の前記内側レール側と、前記内側レールにおける上側の前記外側レール側とに接して、前記内側レールと前記外側レールとの間に挟まって保持される長尺の保持棒と、前記保持棒の一端部から延出する掛け部と、を備え、前記保持棒は、前記一端部の逆側の他端部に対して分岐し、前記保持棒から一側に突出して形成され、前記外側レールに係止する外側脱落防止ストッパーと、前記他端部側において、前記保持棒から前記一側の逆側である他側に突出して形成され、前記内側レールに係止する内側脱落防止ストッパーと、を有することにより解決される。
【００１４】
このように、掛け具の保持棒が、一端部の逆側の他端部に対して分岐して外側レールに係止する外側脱落防止ストッパーを有し、保持棒から突出する外側脱落防止ストッパーと他端部との間に外側レールを挟むようにして保持棒を取り付けることで、保持棒がレール部材の下に脱落するのを抑える事ができ、レール部材に摺動する部材の開閉に干渉することを防ぐことができる。更に、内側レールに内側脱落防止ストッパーを、外側レールに外側脱落防止ストッパーを引っ掛けることで、洗濯物を取り外した際の自身の復元力又はレール部材からの反力による脱落を防ぐことができる。
なお、上記の一側とは、カーテンレールに取り付けられた状態における本実施形態に係る掛け具の壁面側に相当し、他側とは、屋内側に相当する。
【００１５】
また、前記保持棒は、前記一側に突出して形成されて前記外側レールに係止する潜り防止ストッパーを更に有し、該潜り防止ストッパーは、前記外側脱落防止ストッパーよりも前記他端部側に形成されていると好ましい。
このように、保持棒が突出する潜り防止ストッパーを備えることで、潜り防止ストッパーが外側レールに係止し、保持棒の下端が外側レールの下側に潜りこんでしまうことをより好適に防止することができる。
【００１６】
また、前記外側脱落防止ストッパーは、前記保持棒の側面に取り付けられており、前記保持棒よりも幅広に形成されていると好ましい。
このように、外側脱落防止ストッパーが幅広に形成されていることにより、幅方向において外側レールとの接触面積が大きくなり掛け具の取り付けが安定する。
【００１７】
また、前記外側脱落防止ストッパーにおける前記壁面に接触する外側端部は、他の部位よりも幅広に形成されていると好ましい。
このように、外側脱落防止ストッパーの外側端部が他の部位よりも幅広に形成されていることにより、幅方向において壁面との接触面積が大きくなり掛け具の取り付けが安定する。
【００１８】
また、前記外側脱落防止ストッパーは、前記保持棒の一方の側面に取り付けられており、前記壁面に接触する外側端部が幅方向において前記保持棒の他方の側面を越える位置まで延在して形成されていてもよい。
このように、外側脱落防止ストッパーの外側端部が保持棒の他方の側面を越える位置まで延在して幅広に形成されていることにより、保持棒の一方の側面にのみ取り付けられる場合においても幅方向における壁面との接触面積を確保することができ掛け具の取り付けが安定する。
【００１９】
また、前記外側脱落防止ストッパーは、前記保持棒の側面に回動可能に取り付けられており、前記保持棒又は前記外側脱落防止ストッパーの一方には、双方の相対的な回動を規制する回動規制部を備えると好ましい。
このように、回動規制部が、保持棒と外側脱落防止ストッパーの相対的な回動を規制することで、レール部材に掛け具を取り付け又は取り外す際には、外側回動規制部による規制を解除することで容易に取り付け又は取り外すことができ、一方、レール部材に掛け具を固定する際には、回動規制部によって規制することで確実に固定することができる。
【００２０】
また、前記内側脱落防止ストッパーは、前記保持棒の側面に回動可能に取り付けられており、前記保持棒又は前記内側脱落防止ストッパーの一方には、双方の相対的な回動を規制する内側回動規制部を備える
このように、内側回動規制部が、保持棒と内側脱落防止ストッパーの相対的な回動を規制することで、レール部材に掛け具を取り付け又は取り外す際には、内側回動規制部による規制を解除することで容易に取り付け又は取り外すことができ、一方、レール部材に掛け具を固定する際には、内側回動規制部によって規制することで確実に固定することができる。
【００２１】
更に、前記保持棒には、前記外側脱落防止ストッパーよりも前記一端部側に、前記内側脱落防止ストッパー側に屈折した渡し部が形成されていると好ましい。
このように、保持棒に渡し部が形成されていることによって、保持棒がレール部材から直線的に大きく延出することを抑制でき、外側レールから屋内方向に掛け具が張り出す量がいくら大きくなっても、掛け部の高さが高くなることを抑制することができ、掛け具の利便性が向上する。
【００２２】
また、前記内側脱落防止ストッパーは、前記内側レールにおける下側の前記外側レール側に当接可能な向きで突出していると好ましい。
このように、内側脱落防止ストッパーが、内側レールにおける下側の外側レール側に当接可能な向きで突出していることで、洗濯物を取り外した際の自身の復元力又はレール部材からの反力による脱落を、より好適に防ぐことができる。
【００２３】
更に、前記外側脱落防止ストッパーと前記保持棒との接合部を起点としたとき、該起点から前記外側脱落防止ストッパーの端部までの距離は、前記起点から前記保持棒の前記他端部までの距離よりも長いと好ましい。
このように、外側脱落防止ストッパーと保持棒とが形成されていることで、保持棒をレール部材に保持させる際、保持部の他端部が内側レールを摺動するカーテンの動作に干渉することを抑制しつつ、相対的に長く形成された外側脱落防止ストッパーを壁面に突き当てるようにすることで、掛け具の壁面側への移動及び傾きを規制することができるとともに、外側脱落防止ストッパーが同時に潜り防止ストッパーの機能を有することとなり、潜り防止ストッパーが不要となる。よって、掛け具の部品点数を減らすことによる低コスト化、部品点数が少ないことによる故障率の低下のメリットをもたらす。
【００２４】
更に、前記外側脱落防止ストッパー及び前記内側脱落防止ストッパーの少なくとも一方は、その長さを調節可能なアジャスターを具備するようにすると好ましい。
このように、外側脱落防止ストッパーがアジャスターを備えることで、外側レールの上面を抑える外側脱落防止ストッパーの先端がレール部材を固定する壁面に到達する長さまで、アジャスターによって外側脱落防止ストッパーを伸長させることができ、壁面と外側カーテンレールの距離が異なる場合であっても、掛け具を安定して取り付けることが可能となる。
【００２５】
また、前記保持棒と前記外側脱落防止ストッパーとを取り付ける外側締結具を備え、前記外側脱落防止ストッパーは、前記保持棒に重なる方向に貫通する貫通孔を有し、該貫通孔を通る前記外側締結具を回転中心として所定の角度で、前記保持棒に取り付けられているようにしてもよい。
このように、前記外側脱落防止ストッパーが前記保持棒に対して自由に回転できることにより、前記掛け具をカーテンレールに取り付ける際、回転による自由度を利用して簡便に取り付けることが可能となる。
【００２６】
更に、前記外側脱落防止ストッパーは、前記外側締結具によって、前記保持棒と前記掛け部とに略並行な平面上の回転における所定の角度で、前記保持棒に取り付けられているようにしてもよい。
このように、外側脱落防止ストッパーが、保持棒と掛け部とに略並行な平面上の回転における所定の角度で、締結具によって保持棒に取り付けられていることで、保持棒と掛け部とに略並行な方向となるカーテンレールへの取付方向へ、外側脱落防止ストッパーを回転させることができ、周囲環境の異なるカーテンレールへの掛け具の取り付けが容易となる。
【００２７】
また、前記保持棒と前記内側脱落防止ストッパーとを取り付ける内側締結具を備え、前記内側脱落防止ストッパーは、前記保持棒に重なる方向に貫通する貫通孔を有し、該貫通孔を通る前記内側締結具を回転中心として所定の角度で、前記保持棒に取り付けられているようにしてもよい。
このように、前記内側脱落防止ストッパーが前記保持棒に対して自由に回転できることにより、前記掛け具をカーテンレールに取り付ける際、回転による横向きの自由度を利用して簡便に取り付けることが可能となる。
【００２８】
更に、前記内側脱落防止ストッパーは、前記内側締結具によって、前記保持棒と前記掛け部とに略並行な平面上の回転における所定の角度で、前記保持棒に取り付けられているようにしてもよい。
このように、内側脱落防止ストッパーが、保持棒と掛け部とに略並行な平面上の回転における所定の角度で、締結具によって保持棒に取り付けられていることで、保持棒と掛け部とに略並行な方向となるカーテンレールへの取付方向へ、内側脱落防止ストッパーを回転させることができ、周囲環境の異なるカーテンレールへの掛け具の取り付けが容易となる。
【００２９】
前記掛け部は、ドーナツ状又は上部の欠けた円弧状であると好ましい。
このように形成された掛け部によれば、衣類用のハンガーを容易に掛けることができる。
【００３０】
また、前記内側脱落防止ストッパー、前記外側脱落防止ストッパーの双方、又はそのどちらかが、復元力を有する可撓性材料で形成されていると好ましい。
このように、内側脱落防止ストッパー、外側脱落防止ストッパーの双方、又はそのどちらかが、板バネのような可撓性材料で形成されていることで、掛け具がレール部材に保持されている状態時には、内側脱落防止ストッパー及び／又は外側脱落防止ストッパーの復元力により、各々のレール部材を強く保持することができ、掛け具をレール部材に対して、取り付け、取り外しをする際には、内側脱落防止ストッパー及び／又は外側脱落防止ストッパーを弾性変形させることにより、限られたスペース内で掛け具の取付作業が容易にできる。
【００３１】
前記課題は、本願発明の第２の観点に係る掛け具セットによれば、複数の掛け具と、該複数の掛け具の前記掛け部に掛け渡された懸架部材とを備えることにより解決される。
このように、複数の掛け具と複数の掛け具の掛け部に掛け渡された懸架部材とを備える掛け具セットを用いるようにすることで、レール部材に安定して取り付けられた掛け具に掛け渡された懸架部材に、複数の洗濯物を掛けて干すことが可能となる。ここでいう懸架部材とは、物干し竿等の棒状部材やロープ等の縄状の部材である。
【発明の効果】
【００３２】
本願発明によれば、一対のレール部材に取り付けられ、簡単に脱落せず、かつ、一対のレール部材に摺動する部材の開閉に干渉することのない利便性の高い掛け具及び掛け具セットを提供することができる。
【図面の簡単な説明】
【００３３】
【図１】第１の実施形態に係る掛け具を示す模式図である。
【図２】（ａ）は、掛け具を掛けるカーテンレールとカーテンレールが固定される壁面とを示す模式的な断面図、（ｂ）は、カーテンレールとカーテンレールが固定される壁面とともに、カーテンレールに取り付けられたカーテンレールランナーを示す模式的な断面図である。
【図３】保持棒及び掛け部のみが抽出された掛け具が、壁面側カーテンレールと屋内側カーテンレールとの間に挟まれて取り付けられた状態を示す模式的な断面図である。
【図４】第１の実施形態に係る掛け具を、壁面に固定されたカーテンレールに保持させた状態を示す模式図である。
【図５】第２の実施形態に係る掛け具を示す模式図である。
【図６】（ａ）は、洗濯物を掛け部から取り外した際に、一時点において、壁面側カーテンレールから掛け具に掛かる力を示す図、（ｂ）は、洗濯物を掛け部から取り外した際に、他の一時点において、壁面側カーテンレールから掛け具に掛かる力を示す図、（ｃ）は、洗濯物を掛け部から取り外した際に、カーテンレールから掛け具が外れる方向を示す図である。
【図７】第２の実施形態に係る掛け具がカーテンレールに取り付けられている状態を示す図である。
【図８】（ａ）は、第３の実施形態に係る掛け具を示す側面図、（ｂ）は、同実施形態に係る掛け具がカーテンレールに取り付けられている状態を示す図である。
【図９】（ａ）は、第４の実施形態に係る掛け具を、壁面に固定されたカーテンレールに保持させた状態を示す模式図、（ｂ）は、同実施形態の変形例に係る掛け具を、壁面に固定されたカーテンレールに保持させた状態を示す模式図である。
【図１０】（ａ）は、第５の実施形態に係る掛け具を示す側面図、（ｂ）は、同実施形態に係る掛け具をカーテンレールに取り付けた際の当該掛け具の変形状態を示す図である。
【図１１】（ａ）は、第５の実施形態の変形例に係る掛け具を示す側面図、（ｂ）は、掛け具の変形状態を示す側面図である。
【図１２】（ａ）は、第６の実施形態に係る調整壁面側接続点とその周辺を拡大して示した平面図であり、（ｂ）は、同実施形態に係る調整壁面側接続点とその周辺を拡大して示した側面図であり、（ｃ）は、同実施形態に係る調整壁面側接続点とその周辺を拡大して示した斜視図である。
【図１３】（ａ）は、第６の実施形態の変形例に係る調整壁面側接続点とその周辺を拡大して示した平面図であり、（ｂ）は、同変形例に係る調整壁面側接続点とその周辺を拡大して示した側面図であり、（ｃ）は、同変形例に係る調整壁面側接続点とその周辺を拡大して示した斜視図である。
【図１４】（ａ）は、第７の実施形態に係る調整壁面側接続点とその周辺を拡大して示した平面図であり、（ｂ）は、同実施形態に係る調整壁面側接続点とその周辺を拡大して示した側面図であり、（ｃ）は、同実施形態に係る調整壁面側接続点とその周辺を拡大して示した斜視図である。
【図１５】（ａ）は、第７の実施形態の変形例に係る調整壁面側接続点とその周辺を拡大して示した平面図であり、（ｂ）は、同変形例に係る調整壁面側接続点とその周辺を拡大して示した側面図であり、（ｃ）は、同変形例に係る調整壁面側接続点とその周辺を拡大して示した斜視図である。
【図１６】（ａ）は、第８の実施形態に係る調整屋内側接続点とその周辺を拡大して示した底面図であり、（ｂ）は、同実施形態に係る調整屋内側接続点とその周辺を拡大して示した側面図であり、（ｃ）は、同実施形態に係る調整屋内側接続点とその周辺を拡大して示した斜視図である。
【図１７】（ａ）は、第８の実施形態の変形例に係る調整屋内側接続点とその周辺を拡大して示した底面図であり、（ｂ）は、同変形例に係る調整屋内側接続点とその周辺を拡大して示した側面図であり、（ｃ）は、同変形例に係る調整屋内側接続点とその周辺を拡大して示した斜視図である。
【図１８】第９の実施形態に係る掛け具の壁面側接続点周辺を拡大して示した上面図である。
【図１９】第１０の実施形態に係る掛け具の屋内側接続点周辺を拡大して示した底面図である。
【図２０】第１１の実施形態に係る掛け具を、壁面に固定されたカーテンレールに保持させた状態を示す模式図である。
【図２１】第１１の実施形態の変形例に係る掛け具を、壁面に固定されたカーテンレールに保持させた状態を示す模式図である。
【図２２】第１２の実施形態に係る掛け具を、壁面に固定されたカーテンレールに保持させた状態を示す模式図である。
【図２３】第１２の実施形態の第１の変形例に係る掛け具を、壁面に固定されたカーテンレールに保持させた状態を示す模式図である。
【図２４】ａ）は、第１２の実施形態の第２の変形例に係る掛け具を、壁面に固定されたカーテンレールに保持させた状態を一方向から示す模式図、（ｂ）は、同実施形態の第３の変形例に係る掛け具を、壁面に固定されたカーテンレールに保持させた状態を他方向から示す模式図である。
【図２５】第１３の実施形態に係る掛け具を、壁面に固定されたカーテンレールに保持させた状態を示す模式図である。
【図２６】（ａ）は、第１３の実施形態の変形例に係る掛け具を、壁面に固定されたカーテンレールに保持させた状態を一方向から示す模式図、（ｂ）は、同変形例に係る掛け具を、壁面に固定されたカーテンレールに保持させた状態を他方向から示す模式図である。
【図２７】第１４の実施形態に係る掛け具を示す側面図である。
【図２８】（ａ）は、第１５の実施形態に係る掛け具の保持棒と幅広ストッパーを示す平面図、（ｂ）は、同実施形態の第１の変形例に係る掛け具の保持棒と幅広ストッパーを示す平面図である。
【図２９】（ａ）は、第１５の実施形態の第２の変形例に係る掛け具の保持棒と幅広ストッパーを示す平面図、（ｂ）は、同実施形態の第３の変形例に係る掛け具の保持棒と幅広ストッパーを示す平面図である。
【図３０】（ａ）は、第１５の実施形態の第４の変形例に係る掛け具の保持棒と幅広ストッパーを示す平面図、（ｂ）は、同実施形態の第５の変形例に係る掛け具の保持棒と幅広ストッパーを示す平面図である。
【図３１】第１５の実施形態の第６の変形例に係る掛け具の幅広ストッパーを示す平面図である。
【図３２】第１６の実施形態に係る掛け具を示す側面図である。
【図３３】（ａ）は、外側回動規制部が足長壁面側ストッパーの回動を許容する状態を示す側面図、（ｂ）はその側面図である。
【図３４】（ａ）は、外側回動規制部が足長壁面側ストッパーの回動を制限する状態を示す側面図、（ｂ）はその側面図である。
【図３５】第１６の実施形態の第１の変形例に係る掛け具を示す側面図である。
【図３６】第１６の実施形態の第２の変形例に係る掛け具を示す側面図である。
【発明を実施するための形態】
【００３４】
以下、本願発明に係る掛け具及び掛け具セットの実施形態について、添付の図面を参照して具体的に説明する。なお、以下に説明する実施形態において、“内側”は、壁面から離れる側、換言すると、部屋の内側を意味し、“外側”は、壁面側、換言すると、部屋の外側を意味するものとする。
【００３５】
＜＜第１の実施形態＞＞
図１に示すように、本願発明の第１の実施形態に係る掛け具１ａは、長尺の保持棒２ａと、保持棒２ａの上端から延出し、洗濯物や物干し竿等が掛けられる掛け部３ａと、保持棒２ａの下端側で、かつ、保持棒２ａの上面側に配設された潜り防止ストッパー４と、潜り防止ストッパー４よりも掛け部３ａ側であり保持棒２ａの上面側に配設された壁面側ストッパー５ａと、保持棒２ａの下面側に配設された屋内側ストッパー６ａとから構成されるものである。
【００３６】
図２（ａ）は、本実施形態に係る掛け具１ａを掛けるレール部材としてのカーテンレール１００とカーテンレール１００が固定される壁面７とを表した模式的な断面図である。図２（ａ）において模式的に示す壁面７に固定された一対のカーテンレール１００のうち、壁面側に配置されたものを外側レールとしての壁面側カーテンレール８、屋内側に配置されたものを内側レールとしての屋内側カーテンレール９とし、壁面側カーテンレール８から屋内側カーテンレール９に向かう方向を屋内方向、逆に、屋内側カーテンレール９から壁面側カーテンレール８に向かう方向を壁面方向と定義する。
なお、壁面７に固定されたカーテンレール１００の固定具は図示されていないが、壁面７とカーテンレール１００が固定具で固定されているのは勿論のことである。
【００３７】
図２（ｂ）に示す通り、壁面側カーテンレール８の下側には、不図示の壁面側カーテンをスライドして開閉させるために用いるカーテンレールランナー１０１の両脇を保持する爪部が形成されている。この爪部のうち、壁面側に位置する部分を壁面側レール外爪８ａ、屋内側に位置する部分を壁面側レール内爪８ｂとする。
同様に、屋内側カーテンレール９の下側で、カーテンレールランナー１０１の両脇を保持する爪部のうち、壁面側に位置する部分を屋内側レール内爪９ａ、屋内側に位置する部分を屋内側レール外爪９ｂと定義する。
【００３８】
図３は、掛け具１ａのうち、説明のため、保持棒２ａ及び掛け部３ａのみが抽出された掛け具１ａａが、壁面側カーテンレール８と屋内側カーテンレール９との間に挟まれて取り付けられた状態を示す模式的な断面図である。
図３において、壁面側カーテンレール８の下側、かつ、屋内側で保持棒２ａと触れている部分を壁面側支点８ｃとし、屋内側カーテンレール９の上側、かつ、壁面側で保持棒２ａと触れている部分を屋内側支点９ｃとする。
図３において、壁面側支点８ｃ及び屋内側支点９ｃは、黒円の白抜きで図示されているが、黒円の白抜き部分に実際には構造物は無く、説明のための位置を記すものである。
【００３９】
図４は、本願発明の第１の実施形態に係る掛け具１ａを、壁面７に固定されたカーテンレール１００に保持させた状態を示す模式図である。
【００４０】
掛け具１ａは、上述のように、潜り防止ストッパー４、壁面側ストッパー５ａ及び屋内側ストッパー６ａを備える。
【００４１】
潜り防止ストッパー４は、保持棒２ａにおいて、掛け部３ａの逆側の下端部側から突出して形成されており、保持棒２ａから掛け部３ａの突出する下側とは逆側の上側から突出している。潜り防止ストッパー４の突出角度は、保持棒２ａにおいて下端部を始点として鈍角を成す角度である。
【００４２】
壁面側ストッパー５ａは、保持棒２ａにおいて、掛け部３ａの逆側の下端部側であり、潜り防止ストッパー４よりも掛け部３ａ側から突出して形成されており、保持棒２ａから掛け部３ａの突出する下側とは逆側の上側から突出している。壁面側ストッパー５ａの突出角度は、保持棒２ａにおいて下端部を始点として鋭角を成す角度である。また、壁面側ストッパー５ａの突出方向は、潜り防止ストッパー４の突出方向に対して略垂直な方向である。
なお、屋内側ストッパー６ａの構成については後述する。
【００４３】
掛け具１ａをカーテンレール１００に保持させた際の、潜り防止ストッパー４、壁面側ストッパー５ａ、屋内側ストッパー６ａの機能を次に説明する。
【００４４】
まず、潜り防止ストッパー４の機能について説明する。潜り防止ストッパー４がない掛け具１ａａをカーテンレール１００に保持させる際、掛け具１ａａはその自重又は自重と掛けられた洗濯物等との積算重量により、保持棒２ａの下端が、壁面側カーテンレール８の下側の壁面側レール内爪８ｂよりも壁面側に潜り込んでしまう。
このとき、保持棒２ａの下端が、壁面側カーテンレール８に掛けられた不図示の壁面側カーテンの開閉動作に干渉し、壁面側カーテンの開閉動作を困難にするという問題を起こしてしまう。
この点、本実施形態に係る掛け具１ａは、壁面側カーテンレール８の側面に当接する潜り防止ストッパー４を備えることにより、保持棒２ａの下端が、壁面側レール内爪８ｂより壁面側に潜りこむのを抑えられ、壁面側カーテンの開閉をスムーズに行うことが可能となる。
【００４５】
次に、壁面側ストッパー５ａ及び屋内側ストッパー６ａの機能について説明する。壁面側ストッパー５ａ及び屋内側ストッパー６ａがない掛け具１ａａの掛け部３ａに洗濯物等の重量物を掛けると、掛け具１ａａには下向きの力が加わるため、屋内側カーテンレール９には、下向きに押す力が屋内側支点９ｃでかかる。一方、壁面側カーテンレール８には、上向きに押す力が壁面側支点８ｃでかかる。これらの力の反力によって、洗濯物等の重量物が掛けられた状態においては、掛け具１ａａは荷重バランスを保つこととなる。
【００４６】
しかしながら、掛け部３ａから掛けられていた洗濯物等の重量物を取り外した場合、洗濯物を取り外した際の掛け具１ａａ自身の復元力又は壁面側カーテンレール８からの反力によって、壁面側に脱落してしまう問題がある。
これについて具体的には、屋内側支点９ｃにおいて、上向きに保持棒２ａを押す力が残存した状態で、掛け部３ａから重量物を取り外すことにより屋内側カーテンレール９を押す下向きの力が無くなる。一方、壁面側支点８ｃにおいては、下向きに保持棒２ａを押す力が残存した状態で、掛け部３ａから重量物を取り外すことにより壁面側カーテンレール８を押す上向きの力が無くなる。このため、掛け具１ａａは、図３上、反時計回りに回転することとなり、壁面側に脱落してしまう問題がある。
【００４７】
この点、本実施形態に係る掛け具１ａは、壁面側カーテンレール８の上側に係止するための壁面側ストッパー５ａと、屋内側カーテンレール９の下側に係止するための屋内側ストッパー６ａとを備えることで、上記の問題を解消している。
【００４８】
具体的には、壁面側ストッパー５ａは、上記のように、保持棒２ａの下端側に対して鋭角を成す方向に上面側から突出して形成され、壁面側カーテンレール８の上面に当接する構造となっている。
掛け具１ａがカーテンレール１００に取り付けられた状態において、壁面側ストッパー５ａは、壁面側カーテンレール８の上面に当接して係止する。よって、壁面側ストッパー５ａと保持棒２ａの壁面側支点８ｃとで、壁面側カーテンレール８を挟むように保持することで、掛け具１ａの壁面側への脱落が防止できることとなる。
【００４９】
また、屋内側ストッパー６ａは、保持棒２ａの下端側に対して鈍角を成す方向に下面側から突出して形成され、屋内側カーテンレール９の上面を亘り、屋内側カーテンレール９の下側に位置する屋内側レール外爪９ｂまで掛かる構造となっている。
屋内側ストッパー６ａは、屋内側レール外爪９ｂの外面に係止し、屋内側ストッパー６ａと保持棒２ａの屋内側支点９ｃとで屋内側カーテンレール９を挟むように保持することで、掛け具１ａの屋内側への脱落が防止できることとなる。
【００５０】
このように、掛け具１ａは、壁面側ストッパー５ａ及び屋内側ストッパー６ａを備えることにより、掛け部３ａから洗濯物などの重量物を取り外した際に、掛け具１ａ自身の復元力又は壁面側カーテンレール８からの反力によって掛け具１ａが壁面側に脱落することを抑制できる。
【００５１】
上記のように、本願発明の第１の実施形態に係る掛け具１ａは、保持棒２ａと壁面側カーテンレール８とが、壁面側支点８ｃで接し、保持棒２ａと屋内側カーテンレール９とが、屋内側支点９ｃで接することで、掛け部３ａに洗濯物などの重量物が掛けられた場合であっても、掛け具１ａがカーテンレール１００に安定して保持される。
【００５２】
更に、掛け具１ａは、壁面側ストッパー５ａ及び屋内側ストッパー６ａを備えることにより、掛け部３ａから洗濯物などの重量物が取り外された際の掛け具１ａａ自身の復元力又は壁面側カーテンレール８若しくは屋内側カーテンレール９からの反力によって、壁面側に脱落してしまうことを抑制できる。
更には、掛け具１ａは、潜り防止ストッパー４を備えることにより、保持棒２ａの下端が、壁面側カーテンレール８の下側に位置する壁面側レール内爪８ｂより壁面側に潜りこむことを防止できるため、不図示の壁面側カーテンの開閉に支障をきたすことなく、掛け具１ａをカーテンレール１００に保持させることができる。
【００５３】
また、屋内側ストッパー６ａは、屋内側カーテンレール９の下側に位置する屋内側レール外爪９ｂの外面に係止しており、屋内側カーテンレール９のレール部分に干渉していないことから、屋内側カーテン３０（図９（ａ）参照）の開閉に支障をきたすことも無い。
【００５４】
＜＜第２の実施形態＞＞
第２の実施形態に係る掛け具１ｂについて、図５〜図７を参照して説明する。
なお、以下の説明において、形状、機能の差異を明確にするため、同一形状・機能を有する部材については、同一名称として同一符号を付し、その説明を省略する。
図５は、第２の実施形態に係る掛け具１ｂを示す模式図、図６（ａ）は、洗濯物を掛け部３ａから取り外した際に、一時点において、壁面側カーテンレール８から掛け具１ｂｂに掛かる力を示す図、図６（ｂ）は、洗濯物を掛け部３ａから取り外した際に、他の一時点において、壁面側カーテンレール８から掛け具１ｂｂに掛かる力を示す図、図６（ｃ）は、洗濯物を掛け部３ａから取り外した際に、カーテンレール１００から掛け具１ｂｂが外れる方向を示す図、図７は、掛け具１ｂｂがカーテンレール１００に取り付けられている状態を示す図である。
【００５５】
本願発明の第２の実施形態に係る掛け具１ｂは、図５に示す通り、第１の実施形態に係る掛け具１ａが備える屋内側ストッパー６ａの代わりに、屋内側カーテンレール９の下側に位置する屋内側レール内爪９ａに当接するように配設された、屋内側ストッパー６ｂを具備することを特徴とする。
【００５６】
まず、掛け具１ｂの効果を説明するために、掛け具１ｂと比較して屋内側ストッパー６ｂを備えていない掛け具１ｂｂを参照して、掛け具１ｂｂから洗濯物などの掛け物を取り外した際の反動によって生じる力学的作用を説明する。
【００５７】
図６（ａ）に示す通り、潜り防止ストッパー４及び壁面側ストッパー５ａが具備された掛け具１ｂｂにおいて、掛け具１ｂｂから洗濯物などの掛け物を取り外した直後には、掛け具１ｂｂに掛かっていた掛け物の重力による荷重がなくなることで、壁面側カーテンレール８の壁面側支点８ｃから、保持棒２ａに付加される反力１０ａによって、図６（ａ）の反時計回りに掛け具１ｂｂが回転することとなる。
【００５８】
次に、このように掛け具１ｂｂが回転すると、図６（ｂ）に示す通り、壁面側ストッパー５ａが壁面側カーテンレール８の上面に当接することで、反作用による反力１０ｂが壁面側カーテンレール８から壁面側ストッパー５ａに加わることとなる。そうすると、掛け具１ｂｂが図６（ｂ）上時計回りに回転することとなり、再度、保持棒２ａが壁面側カーテンレール８と当接し、壁面側支点８ｃには、掛け具１ｂｂに掛け物が掛かっているときと同じ方向成分を持った反作用力が働くこととなる。つまり、図６（ａ）と同じ方向の反力１０ａが更に掛かり、反時計回り方向の反力１０ａと時計回り方向の力である反力１０ｂとが掛け具１ｂｂに繰り返しかかることから、掛け具１ｂｂが図６（ｃ）の方向１０ｃに脱落する方向に移動することとなる。
このような、力学的作用は、掛け具１ｂｂ又は壁面側カーテンレール８のいずれかが可撓性を有する場合、又は、壁面側カーテンレール８が壁面７に対して完全に固定されておらず、上下に揺動する状態である場合に生じる。
【００５９】
この問題点を解決するために構成された第２の実施形態に係る掛け具１ｂは、図７に示すように、屋内側カーテンレール９の下側に位置する屋内側レール内爪９ａの下面に当接するように、保持棒２ａの下側から突出する屋内側ストッパー６ｂを備える。
屋内側ストッパー６ｂは、具体的には、保持棒２ａにおいて下端部を始点として鈍角を成す角度で突出している。
掛け具１ｂから掛け物が取り外された際に係る一連の反力１０ａ，１０ｂにより掛け具１ｂが方向１０ｃに脱落しようとする動作に対し、屋内側カーテンレール９における下側の壁面側カーテンレール８側に当接して係止することによって掛け具１ｂが図７の紙面上、右上方向に抜け出る動作を妨げ、掛け具１ｂが屋内側に脱落することを抑制する。
【００６０】
＜＜第３の実施形態＞＞
本願発明における第３の実施形態に係る掛け具１ｃについて、図８（ａ）に示す通り、第２の実施形態に係る掛け具１ｂと比較して、保持棒２ａの代わりに、壁面側カーテンレール８と屋内側カーテンレール９との間に挿入される保持部２ｂａと、この保持部２ｂａの上端から折れ曲がって延出する渡し部２ｂｂと、から構成される保持棒２ｂを備える。更に、渡し部２ｂｂの端部に、円弧状の掛け部３ａが、下方側に膨らむように形成されている。
【００６１】
掛け具１ｃのカーテンレール１００への取付状態を図８（ｂ）に示す通り、掛け具１ｃは、渡し部２ｂｂが保持部２ｂａから屋内方向に延出する向きで、カーテンレール１００に取り付けられる。
【００６２】
掛け具１ｃは、保持部２ｂａの上端と掛け部３ａの間に渡し部２ｂｂを備えることで、屋内側カーテンレール９よりも屋内側に掛け部３ａを設ける際、屋内側に張り出す長さの分だけ掛け部３ａの高さが高くなることを抑制できる。つまり、カーテンレール１００は、人の背よりも高い位置にあるため、カーテンレール１００よりも高い位置に取り付けられることとなる掛け部３ａの高さを抑制することで、掛け部３ａに洗濯物を掛ける使用者の利便性が向上する。
なお、本願発明の第３の実施形態に係る掛け具１ｃは、図７に示した第２の実施形態に係る掛け具１ｂの変形例として説明したが、図１に示した第１の実施形態に係る掛け具１ａの保持棒２ａを、保持部２ｂａと渡し部２ｂｂからなる構造としても、その機能するところに変わりがないことはいうまでもない。
【００６３】
＜＜第４の実施形態＞＞
本願発明の第４の実施形態に係る掛け具１ｄは、図９（ａ）に示す通り、図８に示した第３の実施形態に係る保持棒２ｂと比較して、屋内側カーテンレール９の上面に接しないように、つまり、屋内側カーテンレール９の上面と離間するよう、長さを調整した保持部２ｃａと、屋内側カーテンレール９の上面と離間するように配設された渡し部２ｃｂとからなる保持棒２ｃを具備する。
【００６４】
具体的には、保持部２ｃａは、壁面側ストッパー５ａとの接続点よりも掛け部３ａ側に十分に長く形成されており、その端部に接続された渡し部２ｃｂが折り曲がって延出している。
このため、掛け具１ｄをカーテンレール１００に取り付けた状態において、渡し部２ｃｂが屋内側カーテンレール９の上面と離間することとなる。
【００６５】
このように、掛け具１ｄがカーテンレール１００に取り付けられることで、図９（ａ）に示すように、屋内側カーテンレール９に取り付けられて一般的にカーテンレール１００よりも高い位置に張り出すカーテンレールフック３１の屋内側の部位や、屋内側カーテン３０に掛け具１ｄが触れないようにすることができ、屋内側カーテン３０の開閉動作の妨げとなることを回避することができる。
【００６６】
また、図９（ｂ）に示すように、渡し部２ｃｂの下側に、屋内側カーテンレール９の上面に当接するように配設された支え２００を設けるようにすることで、掛け部３ａに重量物を掛けた際にかかる保持棒２ｃへの重量の負担を軽減することができる。
【００６７】
特に、支え２００は、その下面が、壁面側ストッパー５ａの下面の延長上に位置するように形成されている。このように支え２００が形成されていることで、略一致する面上に形成された壁面側カーテンレール８の上面及び屋内側カーテンレール９の上面のそれぞれに、壁面側ストッパー５ａの下面、支え２００の下面を面合わせで当接させることができ、カーテンレール１００に掛け具１ｄを安定して取り付けることができることとなる。
【００６８】
＜＜第５の実施形態＞＞
本願発明における第５の実施形態に係る掛け具１ｅは、図１０（ａ）に示す通り、第１の実施形態乃至第４の実施形態に示した壁面側ストッパー５ａよりも長い壁面側ストッパー５ｂ（以下、足長壁面側ストッパー５ｂとも記載する。）を具備している。
足長壁面側ストッパー５ｂと、保持棒２ｃとの接続点を壁面側接続点１１ａと定義し、壁面側接続点１１ａを起点としたとき、起点と足長壁面側ストッパー５ｂの端部までの距離が、起点と保持棒２ｃの下端までの距離より長いことを特徴としている。
このように、掛け具１ｅが足長壁面側ストッパー５ｂを有することにより、保持棒２ｃをカーテンレール１００に保持させる際、図１０（ｂ）に示す通り、壁面側カーテンレール８の上面を抑える足長壁面側ストッパー５ｂを、壁面７に当接させることで、掛け具１ｅが壁面７側に移動又は回転する自由を抑制することができる。更には、足長壁面側ストッパー５ｂが壁面７に当接することで、壁面側カーテンレール８の下方に保持棒２ｃが潜り込むことを抑制することができる。
つまり、足長壁面側ストッパー５ｂは、第１の実施形態乃至第４の実施形態に示した壁面側ストッパー５ａの機能とともに潜り防止ストッパー４の機能を有することとなるため、掛け具１ｅにおいては、潜り防止ストッパー４を別に配設する必要が無くなる。
これにより、掛け具１ｅの部品点数を減らすことに依る低コスト化、部品点数が少ないことに依る故障率の低下のメリットをもたらす。
【００６９】
＜第５の実施形態の変形例＞
本願発明の第５の実施形態の変形例に係る掛け具１ｆにおいては、図１１に示すように、第１乃至第４の実施形態にある壁面側ストッパー５ａ、第１乃至第５の実施形態にある屋内側ストッパー６ａ，６ｂ、第５の実施形態にある足長壁面側ストッパー５ｂのいずれか、又はその全てが、弾性材料（可撓性材料）から形成されており、板バネのように機能することを特徴とする。
【００７０】
図１１（ａ）に示す掛け具１ｆにおける足長壁面側ストッパー５ｃは、第５の実施形態に係る足長壁面側ストッパー５ｂを板バネで構成したものであり、屋内側ストッパー６ｃは、第５の実施形態に係る屋内側ストッパー６ｂを板バネで構成したものである。
足長壁面側ストッパー５ｃは、図１１（ａ）に示すように、その基端が保持部２ｃａの中央上側に固定されて、先端が保持部２ｃａの下端側に位置するように、保持部２ｃａに沿って取り付けられている。
また、屋内側ストッパー６ｃは、その基端が保持部２ｃａの下端下側に固定されて、先端が掛け部３ａ側に位置するように、保持部２ｃａに沿って取り付けられている。
【００７１】
本願発明の第５の実施形態に係る変形例のように、材料を板バネなどの弾性材で構成された、足長壁面側ストッパー５ｃ、及び屋内側ストッパー６ｃを具備した掛け具１ｆを、カーテンレール１００に取り付ける際は、図１１（ｂ）に示すように、足長壁面側ストッパー５ｃのうち、保持部２ｃａに固定されていない先端部を保持部２ｃａから離すように開いて、足長壁面側ストッパー５ｃと保持部２ｃａとで壁面側カーテンレール８を挟持するようにする。同様に、屋内側ストッパー６ｃのうち、保持部２ｃａと固定されていない先端部を保持部２ｃａから離すように開いて、屋内側ストッパー６ｃと保持部２ｃａとで屋内側カーテンレール９を挟持するようにする。このようにすることで、足長壁面側ストッパー５ｃ及び屋内側ストッパー６ｃの復元力を利用し、より強固に掛け具１ｆをカーテンレール１００に保持することが可能となる。
【００７２】
＜＜第６の実施形態＞＞
次に、第６の実施形態に係る掛け具１ｇについて図１２（ａ）〜図１２（ｃ）を参照して説明する。
ここで、図１２（ａ）は、調整壁面側接続点１１ｃとその周辺を拡大して示した平面図、図１２（ｂ）は、その側面図であり、図１２（ｃ）は、その斜視図である。
第６の実施形態に係る掛け具１ｇにおいては、図１０に示した第５の実施形態、及びその変形例に係る図１１に示した足長壁面側ストッパー５ｂ，５ｃと比較して、保持棒２ｅの下端との距離を任意に調整できるよう、壁面側接続点１１ａが、アジャスターの一例である長さ調節機構としての調整壁面側接続点１１ｃとなっていることを特徴としている。
具体的には、図１２（ａ）に、調整壁面側接続点１１ｃとその周囲を拡大して示した平面図を示すように、調整壁面側接続点１１ｃを備える掛け具１ｇは、上面にネジ穴２０ａを有する保持棒２ｅと、ネジ穴２０ａと対になるネジ２０ｃと、長手方向の延在する貫通孔２０ｂを有する足長壁面側ストッパー１５ａとを備える。なお、貫通孔２０ｂは、ネジ２０ｃのネジ部の径よりも幅広であり、ネジ２０ｃの頭部よりも幅狭に形成されている。
このように構成された掛け具１ｇにおける足長壁面側ストッパー１５ａの位置調整について説明する。
まず、ネジ２０ｃを貫通孔２０ｂに通して、ネジ穴２０ａに浅くねじ込んでおく。その後、カーテンレール１００に掛け具１ｇを取り付けた状態において壁面７に当接可能な適切な固定位置となる長さまで、ネジ２０ｃに対して足長壁面側ストッパー１５ａを貫通孔２０ｂに沿ってスライドさせる。最後に、ネジ２０ｃを、その頭部の下面が足長壁面側ストッパー１５ａに当接するまでねじ込み、足長壁面側ストッパー１５ａを保持棒２ｅに固定する。
【００７３】
このように、足長壁面側ストッパー１５ａを任意の位置で保持棒２ｅに固定できる調整壁面側接続点１１ｃを備えることにより、掛け具１ｇをカーテンレール１００に実際に取り付ける際に、足長壁面側ストッパー１５ａを、壁面７に当接可能な長さに調節できる。
つまり、壁面７とカーテンレール１００との距離が異なる場合であっても、掛け具１ｇを安定して取り付けることが可能となる。
よって、使用者は、壁面７とカーテンレール１００との距離を気遣うことなく本実施形態に係る掛け具１ｇを購入、使用することができる。
【００７４】
＜第６の実施形態の変形例＞
次に、第６の実施形態の変形例に係る掛け具１ｈについて図１３（ａ）〜図１３（ｃ）を参照して説明する。
ここで、図１３（ａ）は、調整壁面側接続点１１ｄとその周辺を拡大して示した平面図、図１３（ｂ）は、その側面図であり、図１３（ｃ）はその斜視図である。
第６の実施形態の変形例に係る掛け具１ｈにおいては、第６の実施形態に係る掛け具１ｇと比較して、図１３（ａ）に示す通り、保持棒２ｆに設けられネジ穴２０ａの代わりとなるネジ２１ａと、ネジ２１ａの対となり、足長壁面側ストッパー１５ａを保持棒２ｆに固定するためのネジ２０ｃの代わりとなるナット２１ｃとによって、アジャスターの一例である長さ調節機構としての調整壁面側接続点１１ｄが構成される。
【００７５】
このように、調整壁面側接続点１１ｄにおいて、保持棒２ｆにネジ２１ａが取り付けられていることにより、使用者が、足長壁面側ストッパー１５ａを保持棒２ｆに固定する際、貫通孔２０ｂを通ったネジ２１ａをガイドとして、足長壁面側ストッパー１５ａをスライドさせて位置を決めることができ、固定作業が容易になる。
ここで、ナット２１ｃは、一般的な六角ナットに限らず、工具を用いずに手作業で締め込みができるように、バタフライナットのようにツマミを備えたナットでも良い。
【００７６】
＜＜第７の実施形態＞＞
次に、第７の実施形態に係る掛け具１ｉについて図１４（ａ）〜図１４（ｃ）を参照して説明する。
ここで、図１４（ａ）は、調整壁面側接続点１１ｅとその周辺を拡大して示した平面図、図１４（ｂ）は、その側面図であり、図１４（ｃ）は、その斜視図である。
本願発明の第７の実施形態に係る掛け具１ｉは、図１４（ａ）の平面図に示す通り、図１１に示した第５の実施形態の変形例に係る足長壁面側ストッパー５ｃの代わりに、３部品から構成される足長壁面側ストッパー１５ｂを備えるものである。
【００７７】
足長壁面側ストッパー１５ｂは、具体的には、上面に厚さ方向に形成されたネジ穴２０ｄを有する連結部１５ｄと、この連結部１５ｄに重なる方向である厚さ方向に貫通して長手方向に延出する貫通孔２０ｅを有する調節部１５ｃと、ネジ穴２０ｄと対になるネジ２０ｆとから構成される。連結部１５ｄは、壁面側接続点１１ａで保持棒２ｇと固定されており、調節部１５ｃは、任意の位置でネジ２０ｆによって連結部１５ｄに固定される。
【００７８】
具体的には、足長壁面側ストッパー１５ｂの調節部１５ｃによる位置の調整は、第６の実施形態について図１２（ａ）〜図１２（ｃ）で示したネジ穴２０ａへのネジ２０ｃのねじ込みによって、足長壁面側ストッパー１５ａの位置を固定する方法と同様に、貫通孔２０ｅを挿通するネジ２０ｆを、調整壁面側接続点１１ｅにあるネジ穴２０ｄにねじ込むことによって、調節部１５ｃを任意の位置で連結部１５ｄに固定することによってなされる。
【００７９】
第７の実施形態に係る足長壁面側ストッパー１５ｂは、連結部１５ｄに対する調節部１５ｃの位置の調節を調整壁面側接続点１１ｅで行い、保持棒２ｇを壁面側接続点１１ａで固定していること、つまり、突出量の調整位置と固定位置とが異なる位置であることを特徴としている。
【００８０】
このように構成とした理由について次に説明する。そこで、図１１に示す掛け具１ｆのような、足長壁面側ストッパー５ｃの弾性変形を利用して、壁面側カーテンレール８に取り付ける構成を図１２に示す足長壁面側ストッパー１５ａに適用した場合を想定する。このような場合に、図１２（ａ）〜図１２（ｃ）に示すように、保持棒２ｅに対する足長壁面側ストッパー１５ａの突出量の調整位置と固定位置とが、同じ調整壁面側接続点１１ｃの位置であると、保持棒２ｅから足長壁面側ストッパー１５ａが外れやすくなるという問題がある。
【００８１】
具体的には、掛け具１ｇを壁面側カーテンレール８に取り付ける場合には、足長壁面側ストッパー１５ａの先端を保持棒２ｅから離すように広げる動作と、足長壁面側ストッパー１５ａの復元力による復元動作とによって、壁面側カーテンレール８に掛け具１ｇを取り付けることとなる。このような動作が、壁面側カーテンレール８に掛け具１ｇに取り付ける度に繰り返されると、ネジ２０ｃに緩みが生じて、足長壁面側ストッパー１５ａと保持棒２ｅが外れてしまう恐れがある。
【００８２】
この問題に対して、第７の実施形態に係る掛け具１ｉのように、足長壁面側ストッパー１５ｂの突出量の調整位置と固定位置とを別の位置であることにより、例えば、少なくとも連結部１５ｄが可撓性材料からなる場合に、ネジ２０ｆの緩みを抑制でき安定して固定できる。
具体的には、調節部１５ｃの壁面側端部を保持棒２ｇから引き離すように広げ、壁面側カーテンレール８に固定する際、広げる動作と、板バネの復元力により元に戻ろうとする動作とが繰り返されたとしても、ネジ２０ｆを介して固定された連結部１５ｄの壁面側接続点近傍が撓むことによって、ネジ２０ｆとネジ穴２０ｄとの螺合部分の撓み量を抑制できることで、固定されたネジ２０ｆの緩みを抑制でき安定して固定できる。
【００８３】
＜第７の実施形態の変形例＞
次に、第７の実施形態の変形例に係る掛け具１ｊについて図１５（ａ）〜図１５（ｃ）を参照して説明する。
ここで、図１５（ａ）は、調整壁面側接続点１１ｆとその周辺を拡大して示した平面図、図１５（ｂ）は、その側面図であり、図１５（ｃ）はその斜視図である。
第７の実施形態の変形例に係る掛け具１ｊにおいては、第７の実施形態に係る掛け具１ｉと比較して、図１５（ａ）に示す通り、保持棒２ｇに設けられネジ穴２０ｄの代わりとなるネジ２０ｈと、ネジ２０ｈの対となり、調節部１５ｃを連結部１５ｇに固定するためのネジ２０ｆの代わりとなるナット２０ｉとによって、アジャスターの一例である長さ調節機構としての調整壁面側接続点１１ｆを備える足長壁面側ストッパー１５ｅが構成される。
【００８４】
第７の実施形態の変形例に係る掛け具１ｊは、図１３に記載の第６の実施形態の変形例同様、ネジ２０ｈをガイドとして調節部１５ｃを取り付けることができることで、壁面７に突き当たるように足長壁面側ストッパー１５ｂの突出量に容易に調節できる。このため、掛け具１ｊの壁面側カーテンレール８への取り付けの作業性が良好となる。
また、図１４に記載の第７の実施形態同様、連結部１５ｇに対する調節部１５ｃの位置の調節を調整壁面側接続点１１ｆで行い、保持棒２ｇを壁面側接続点１１ａで固定していること、つまり、突出量の調整位置と固定位置とが異なる位置であることにより、足長壁面側ストッパー１５ｅの変形が繰り返しなされた場合であっても、ナット２０ｉの緩みを抑制でき、安定して固定できるという特徴を有する。
【００８５】
＜＜第８の実施形態＞＞
次に、第８の実施形態に係る掛け具１ｋについて図１６（ａ）〜図１６（ｃ）を参照して説明する。
ここで、図１６（ａ）は、調整屋内側接続点１１ｇとその周辺を拡大して示した底面図、図１６（ｂ）は、その側面図であり、図１６（ｃ）は、その斜視図である。
第８の実施形態に係る屋内側ストッパー１６ａは、図１６（ａ）の底面図に示す通り、図５に示した第２の実施形態に係る掛け具１ｂと比較して、保持棒２ｈに、ネジ２２ｃによって取り付けられるものである。
保持棒２ｈは、下端近傍の下面にネジ穴２２ａを有する。
屋内側ストッパー１６ａは、厚さ方向に貫通して長手方向に延出する貫通孔２２ｂを有し、ネジ２２ｃは、ネジ穴２２ａと対になり、貫通孔２２ｂを通って屋内側ストッパー１６ａを保持棒２ｈの下面に挟みこむようにして固定するものである。
つまり、ネジ２２ｃとネジ穴２２ａとによって、アジャスターの一例である長さ調節機構としての調整屋内側接続点１１ｇが構成される。
【００８６】
本願発明の第８の実施形態に係る屋内側ストッパー１６ａによれば、ネジ穴２２ａの位置で、屋内側ストッパー１６ａの位置を変えて固定することができ、壁面側カーテンレール８と屋内側カーテンレール９の間隔が異なるカーテンレール１００にも、容易に掛け具１ｋを固定することが可能となる。
【００８７】
＜第８の実施形態の変形例＞
次に、第８の実施形態の変形例に係る掛け具１ｍについて、図１７（ａ）〜図１７（ｃ）を参照して説明する。
ここで、図１７（ａ）は、調整屋内側接続点１１ｈとその周辺を拡大して示した底面図、図１７（ｂ）は、その側面図であり、図１７（ｃ）はその斜視図である。
第８の実施形態の変形例に係る屋内側ストッパー１６ｂは、図１７（ａ）の底面図に示す通り、図１６（ａ）に示した第８の実施形態に係る屋内側ストッパー１６ａと比較して、保持棒２ｉの下端近傍の下面に、ネジ２２ｄ及びナット２２ｅによって取り付けられるものである。
保持棒２ｉは、下端近傍の下面から突出して貫通孔２２ｂを挿通するネジ２２ｄを有する。
屋内側ストッパー１６ｂは、保持棒２ｉに重なる方向である厚さ方向に貫通して長手方向に延出する貫通孔２２ｂを有する。また、屋内側ストッパー１６ｂは、保持棒２ｉのネジ２２ｄと、ネジ２２ｄと対となり、屋内側ストッパー１６ｂを保持棒２ｉの下面に固定するナット２２ｅとに挟まれることによって保持棒２ｉに固定される。
つまり、ネジ２２ｄとナット２２ｅとによって、アジャスターの一例である長さ調節機構としての調整屋内側接続点１１ｈが構成される。
【００８８】
第８の実施形態の変形例に係る屋内側ストッパー１６ｂによれば、ネジ２２ｄの位置で、屋内側ストッパー１６ｂの位置を変えて固定することができ、壁面側カーテンレール８と屋内側カーテンレール９の間隔が異なるカーテンレール１００にも、容易に掛け具１ｍを固定することが可能となり、ネジ２２ｄをガイドとして、屋内側ストッパー１６ｂの位置を決めて取り付けることが可能となるため、作業者の固定作業が容易となる。
【００８９】
＜＜第９の実施形態＞＞
本願発明の第９の実施形態に係る掛け具１ｎは、図１８に示す通り、図１０に示した第５の実施形態の掛け具１ｅと比較して、壁面側接続点２３ａを軸に、保持棒２ｊａの上方において、回転自在に向きの調整が可能な壁面側ストッパー１５ｆを備えていることを特徴とする。
【００９０】
壁面側ストッパー１５ｆを回転自在に保持棒２ｊａに取り付ける構成は、保持棒２ｊａに形成された図示せぬネジ穴と、このネジ穴に、壁面側ストッパー１５ｆに形成された図示せぬ貫通孔を挿通して締結される締結具としてのネジ２２ｆと、によって実現される。
また、例えば、保持棒２ｊａに突出して形成された図示せぬネジと、このネジに締め込まれる図示せぬナットとによって構成されるものであってもよい。
【００９１】
このように、壁面側ストッパー１５ｆが保持棒２ｊａに対して、壁面側接続点２３ａを軸に自由に回転できることにより、掛け具１ｎをカーテンレール１００に取り付ける際、回転による横向きの自由度を利用して簡便に取り付けることが可能となる。
【００９２】
＜＜第１０の実施形態＞＞
本願発明の第１０の実施形態に係る掛け具１ｏは、図１９に示す通り、図１０に示した第５の実施形態の掛け具１ｅと比較して、屋内側接続点２４ａを軸に、保持棒２ｊｂの下方において、回転自在に向きの調整が可能な屋内側ストッパー１６ｃを備えていることを特徴とする。
ここで、屋内側接続点２４ａは、屋内側ストッパー１６ｃと、保持棒２ｊｂとの接続点として定義されるものである。
【００９３】
屋内側ストッパー１６ｃを回転自在に保持棒２ｊｂに取り付ける構成は、保持棒２ｊｂに形成された図示せぬネジ穴と、このネジ穴に、屋内側ストッパー１６ｃに形成された図示せぬ貫通孔を挿通して締結される締結具としてのネジ２５ａと、によって実現される。
また、例えば、保持棒２ｊｂに突出して形成された図示せぬネジと、このネジに締め込まれる図示せぬナットとによって構成されるものであってもよい。
このように、屋内側ストッパー１６ｃが保持棒２ｊｂに対して、屋内側接続点２４ａを軸に自由に回転できることにより、掛け具１ｏをカーテンレール１００に取り付ける際、回転による横向きの自由度を利用して簡便に取り付けることを可能とする。
【００９４】
＜＜第１１の実施形態＞＞
本願発明の第１１の実施形態に係る掛け具１ｐは、図２０に示す通り、図１８に示した第９の実施形態に係る掛け具１ｎと比較して、保持棒２ｊｃの側面において、回転自在に向きを調整可能な足長壁面側ストッパー１５ｈを備えていることを特徴とする。
ここで、足長壁面側ストッパー１５ｈと保持棒２ｊｃとが回転自在に接続されている部位を壁面側接続点２３ｂとする。
【００９５】
足長壁面側ストッパー１５ｈを回転自在に保持棒２ｊｃの側面に取り付ける構成は、保持棒２ｊｃの側面に形成された図示せぬネジ穴と、このネジ穴に、足長壁面側ストッパー１５ｈに形成された図示せぬ貫通孔を挿通して締結される締結具としてのネジ２２ｇと、によって実現される。
また、例えば、保持棒２ｊｃの側面に突出して形成された図示せぬネジと、このネジに締め込まれる図示せぬナットとによって構成されるものであってもよい。
【００９６】
このように、足長壁面側ストッパー１５ｈが保持棒２ｊｃの側面に対して、壁面側接続点２３ｂを軸に自由に回転できることにより、掛け具１ｐをカーテンレール１００に取り付ける際、回転による縦方向（保持棒２ｊｃと掛け部３ａとに略並行な方向）の自由度を利用して簡便に取り付けることが可能となる。
【００９７】
＜第１１の実施形態の変形例＞
また、図２１に示す掛け具１ｑのように、図２０に示す掛け具１ｐと比較して、足長壁面側ストッパー１５ｈの代わりに、保持棒２ｊｄの側面の壁面側接続点２３ｃを軸に締結具２２ｈで取り付けられた壁面側ストッパー１５ｉが配設されている。なお、掛け具１ｑは、カーテンレール１００の下に潜り込まないよう、潜り防止ストッパー４を備えるようにしてもよい。
【００９８】
＜＜第１２の実施形態＞＞
本願発明の第１２の実施形態に係る掛け具１ｒは、図２２に示す通り、図１９に示した第１０の実施形態の掛け具１ｏと比較して、保持棒２ｊｅの側面に対して、屋内側接続点２４ｂを軸に、回転自在に向きの調整が可能な屋内側ストッパー１６ｄを備えていることを特徴とする。
【００９９】
屋内側ストッパー１６ｄを回転自在に保持棒２ｊｅの側面に取り付ける構成は、保持棒２ｊｅに形成された図示せぬネジ穴と、このネジ穴に、屋内側ストッパー１６ｄに形成された図示せぬ貫通孔を挿通して締結される締結具としてのネジ２５ｂと、によって実現される。
また、例えば、保持棒２ｊｅの側面に突出して形成された図示せぬネジと、このネジに締め込まれる図示せぬナットとによって構成されるものであってもよい。
【０１００】
このように、屋内側ストッパー１６ｄが保持棒２ｊｅの側面に対して、屋内側接続点２４ｂを軸に自由に回転できることにより、掛け具１ｒをカーテンレール１００に取り付ける際、回転による縦方向（保持棒２ｊｅ及び掛け部３ａの存在する面に略並行な方向）の自由度を利用して簡便に取り付けることが可能となる。
【０１０１】
＜第１２の実施形態の第１の変形例＞
また、図２３に示す掛け具１ｓのように、保持棒２ｊｆの側面に回転自在に向きの調整が可能な足長壁面側ストッパー１５ｊと、同じく掛け具１ｓの保持棒２ｊｆの側面に回転自在に向きの調節が可能な屋内側ストッパー１６ｅとが、保持棒２ｊｆの同一側面に取り付けられていてもよい。
ここで、掛け具１ｓにおいては、足長壁面側ストッパー１５ｊと保持棒２ｊｆとが締結具２２ｉによって回転自在に接続されている部位が壁面側接続点２３ｄとなり、屋内側ストッパー１６ｅと保持棒２ｊｆとが締結具２５ｃによって回転自在に接続されている部位が屋内側接続点２４ｃとなる。
【０１０２】
＜第１２の実施形態の第２，第３の変形例＞
次に、第１２の実施形態の第２の変形例に係る掛け具１ｔを、図２４を参照して説明する。ここで、図２４（ａ）は、本実施形態の第２の変形例に係る掛け具１ｔを一方向から示す側面図であり、図２４（ｂ）は、本実施形態の第３の変形例に係る掛け具１ｔを一方向とは逆向きである他方向から示す側面図である。
図２４に示す掛け具１ｔのように、保持棒２ｊｇの一側の側面に対して、回転自在に向きの調節が可能な足長壁面側ストッパー１５ｋと、保持棒２ｊｇの逆側の側面に対し、回転自在に向きの調節が可能な屋内側ストッパー１６ｆとを備えるような構成であってもよい。
ここで、掛け具１ｔにおいては、足長壁面側ストッパー１５ｋと保持棒２ｊｇとが締結具２２ｊによって回転自在に接続されている部位が壁面側接続点２３ｅとなり、屋内側ストッパー１６ｆと保持棒２ｊｇとが締結具２５ｄによって回転自在に接続されている部位が屋内側接続点２４ｄとなる。
【０１０３】
また、壁面側ストッパー及び屋内側ストッパーと保持棒との接続位置は、上記の説明した位置のみに限定されない。例えば、壁面側ストッパーを保持棒の上面に接続するようにして、屋内側ストッパーを保持棒の側面に接続するようにしたり、壁面側ストッパーを保持棒の側面に接続するようにして、屋内側ストッパーを保持棒の下面に接続するようにしたりしてもよく、本願発明の範囲を逸脱しない限り、その組み合わせを自由に変えられることはいうまでもない。
【０１０４】
＜＜第１３の実施形態＞＞
本願発明の第１３の実施形態に係る掛け具１ｕおいては、図２５に示す通り、保持棒２ｊｈの側面に配設された壁面側ストッパー１５ｍと屋内側ストッパー１６ｇとが側面視でクランク形に一体的に形成されている。
壁面側ストッパー１５ｍと屋内側ストッパー１６ｇとは、保持棒２ｊｈの側面の接続点２３ｆにある図示せぬネジ穴と、このネジ穴に、壁面側ストッパー１５ｍに形成された図示せぬ貫通孔、及び屋内側ストッパー１６ｇに形成された図示せぬ貫通孔を挿通して締結される締結具としてのネジ２２ｋと、によって一体的に締結されている。
【０１０５】
具体的には、壁面側ストッパー１５ｍは、接続点２３ｆから上側方向に延出して、この延出方向に対して略垂直方向であり保持棒２ｊｈから離れる側に折れ曲がったＬ字状に形成されている。
また、屋内側ストッパー１６ｇは、接続点２３ｆから下側方向に延出して、この延出方向に対して略垂直方向であり保持棒２ｊｈから離れる側に折れ曲がってＬ字状に形成されている。
また、例えば、保持棒２ｊｈの側面に突出して形成された図示せぬネジと、このネジに締め込まれる図示せぬナットとによって構成されるものであってもよい。
【０１０６】
このように、壁面側ストッパー１５ｍと屋内側ストッパー１６ｇを、掛け具１ｕの保持棒２ｊｈの側面に配設するためのネジ２２ｋを共通化することにより、掛け具１ｕの部品点数を減らすことによる低コスト化、部品点数が少ないことによる故障率の低下のメリットをもたらす。
【０１０７】
＜第１３の実施形態の変形例＞
次に、第１３の実施形態の変形例に係る掛け具１ｖについて、図２６を参照して説明する。ここで、図２６（ａ）は、本実施形態の他の変形例に係る掛け具１ｖを一方向から示す側面図であり、図２６（ｂ）は、同変形例に係る掛け具１ｖを一方向とは逆向きである他方向から示す側面図である。
第１３の実施形態の変形例に係る掛け具１ｖは、図２６（ａ）に示す通り、保持棒２ｊｉに対し、締結具２３ｇによりＬ字状の壁面側ストッパー１５ｎが取り付けられる側面と、図２６（ｂ）に示す通り、保持棒２ｊｉに対し、締結具２３ｈによりＬ字状の屋内側ストッパー１６ｈが取り付けられる側面とが異なる面となっている。
【０１０８】
これにより、壁面側ストッパー１５ｎの回転動作と、屋内側ストッパー１６ｈの回転動作とを独立して行うことができ、一方の回転動作の摩擦により、他方が同時に動いてしまう問題が起きない。
【０１０９】
＜＜第１４の実施形態＞＞
本願発明における第１４の実施形態に係る掛け具１ｗは、図２７に示す通り、図１０に示した第５の実施形態に係る掛け具１ｅと比較して、中心に穴の開いたドーナツ状の掛け部３ｂを有することを特徴とする。
掛け部３ｂがドーナツ状であることで掛け部３ｂ自体に端部が無くなることから、掛け部３ｂに掛けたものの落下リスクを下げることができる。
【０１１０】
＜＜第１５の実施形態＞＞
本願発明の第１５の実施形態においては、図２８（ａ）に示すように、本願発明に係る外側脱落防止ストッパーとしての幅広ストッパー４０を備える構成であることを特徴とする。
幅広ストッパー４０は、棒状を成し、図２０に示す保持棒２ｊｃの一側面に締結具４０ａによって回動可能に取り付けられている。特に、幅広ストッパー４０は保持棒２ｊｃの幅よりも幅広であることを特徴とする。
この特徴により、掛け具１ｐが壁面側カーテンレール８に取り付けられたときに、図２０に示す壁面側カーテンレール８上に接触する面積、及び壁面７に当接する面積が大きくなるため、掛け具１ｐの幅方向における取付安定性を高めることができる。このように、掛け具１ｐの姿勢の保持性を高まるため、特に幅方向に偏った重さを有するものが掛け具１ｐに掛けられた場合に、壁面側カーテンレール８からの掛け具１ｐの脱落を回避しやすくなる点で有用である。
【０１１１】
＜第１５の実施形態に係る第１の変形例＞
第１５の実施形態に係る第１の変形例として、幅広ストッパー４０が保持棒２ｊｃの一側面だけでなく、両側面に締結具４０ａによって回動可能に取り付けられている構成であってもよい。このような構成によれば、掛け具１ｐが壁面側カーテンレール８に取り付けられたときに、掛け具１ｐが図２０に示す壁面側カーテンレール８上に接触する面積、及び壁面７に当接する面積が大きくなり、更に掛け具１ｐが幅方向において対称性を有する構成となるため、掛け具１ｐの幅方向における取付安定性をより高めることができる。
【０１１２】
＜第１５の実施形態に係る第２の変形例＞
第１５の実施形態に係る第２の変形例としての幅広ストッパー４１は、図２９（ａ）に示すように、長手方向部４１ａと、その長手方向部４１ａの端部から垂直に延在する幅方向部４１ｂとが一体的に形成されておりＬ字状を成している。
詳細には、長手方向部４１ａは、保持棒２ｊｃの一側面に回動可能に取り付けられて保持棒２ｊｃに沿うように延在している。
幅方向部４１ｂは、長手方向部４１ａの壁面７側の端部から壁面７に沿って保持棒２ｊｃを幅方向において横断するように延在している。
【０１１３】
このような構成によれば、保持棒２ｊｃの一側面にのみ幅広ストッパー４１が取り付けられる場合であっても、壁面７に当接する面積が大きくなり、掛け具１ｐの幅方向における取付安定性を高めることができる。特に、幅方向部４１ｂが、保持棒２ｊｃを幅方向において横断するように延在しているため、保持棒２ｊｃを中心とした掛け具１ｐ全体の幅方向における取付安定性を高めることができる。更には、幅広ストッパー４１を、保持棒２ｊｃの両側面ではなく、一側面にのみ取り付けるのみであるため、取付作業性が良好である。
【０１１４】
＜第１５の実施形態に係る第３の変形例＞
上記の第２の変形例においては、幅広ストッパー４１がＬ字状を成しているものとして説明したが、このような形状のみに本願発明は限定されず、例えば、図２９（ｂ）に示すように、長手方向部４２ａと、その長手方向部４２ａの端部から垂直に延在する幅方向部４２ｂとが一体的に形成されてＴ字状を成す幅広ストッパー４２であってもよい。
詳細には、長手方向部４２ａは、長手方向部４１ａと同様に、保持棒２ｊｃの一側面に回動可能に取り付けられて保持棒２ｊｃに沿うように延在している。
幅方向部４２ｂは、長手方向部４１ａの壁面７側の端部から壁面７に沿って保持棒２ｊｃを幅方向の一方において横断するように延在し、幅方向の他方において、長手方向部４２ａから突出するように延在している。
【０１１５】
このような構成によれば、幅方向部４１ｂが、両方向において長手方向部４２ａから突出するように延在していることとなるため、掛け具１ｐの取付安定性がより高まることとなる。
具体的には、掛け具１ｐに衣類等が掛け部３ａに掛けられたときに、保持棒２ｊｃから長手方向部４２ａを中心とする幅方向への振れに対して、幅方向部４１ｂで壁面７からの反力を受けることができ、この振れを抑えることができるために、上記効果が得られることとなる。
【０１１６】
＜第１５の実施形態に係る第４の変形例＞
上記実施形態に係る第１の変形例においては、幅広ストッパー４０が保持棒２ｊｃよりも幅広に形成されているものとして説明した。また、第２の変形例及び第３の変形例においては、保持棒２ｊｃの一側面に幅広ストッパー４１，４２が取り付けられて、幅方向において保持棒２ｊｃを横断するように長手方向部４１ａ，４２ａが延在しているものとして説明した。
しかしながら、本願発明はこのような構成に限定されない。例えば、図３０（ａ）に示す幅広ストッパー４３は、長手方向部４３ａと、その長手方向部４３ａの端部から垂直に延在する幅方向部４３ｂとが一体的に形成されておりＬ字状を成している。
この幅広ストッパー４３は、幅方向部４３ｂが幅方向外側に延在する配置で、鉛直面を対称として保持棒２ｊｃの両側面に一対配設されており、締結具４３ｃによって回動可能に取り付けられている。
【０１１７】
このように、幅方向部４３ｂが幅方向外側に延在していることで、長手方向部４３ａが幅狭に形成されているとしても、壁面７に当接する部位が幅方向に広く確保することができ、掛け具１ｐの取付安定性がより高めることができる。
【０１１８】
＜第１５の実施形態に係る第５の変形例＞
上記第４の変形例においては、幅広ストッパー４３は、Ｌ字状に形成されているものとして説明したが、本願発明はこのような構成に限定されない。
例えば、図３０（ｂ）に示す幅広ストッパー４４は、保持棒２ｊｃの両側面に１本ずつ取り付けられた長手方向部４４ａと、これらの長手方向部４４ａに一体的に形成された幅方向部４４ｂとから形成されている。
このように構成された幅広ストッパー４４によれば、長手方向部４４ａが、一枚の板で形成されているため、壁面７と常に一平面での接触が可能である。換言すると、図３０（ａ）に示す一対の幅広ストッパー４３においては、締結具４３ｃを中心として、それぞれ別個に回動可能であるため、回動角度がずれると、壁面７に一平面として面接触できないため、がたつきが生じる可能性がある。一方、本変形例においてはこのようながたつきが生じることはない。
【０１１９】
＜第１５の実施形態に係る第６の変形例＞
図１０に示す第５の実施形態に係る掛け具１ｅにおいては、足長壁面側ストッパー５ｂが保持棒２ｃの上面から突出するように形成されているものとして説明した。
このような構成の掛け具１ｅにおいても、図３１に示すように、長手方向部４５ａと、長手方向部４５ａの壁面７側の端部にあって幅方向に延びる幅方向部４５ｂとを備える幅広ストッパー４５によって構成されるものを採用してもよい。
このような構成によれば、上記の変形例同様に、壁面７との接触面を広くできることで取付安定性を高めることができる。
【０１２０】
＜＜第１６の実施形態＞＞
また、例えば、図２３に示す掛け具１ｓのように、保持棒２ｊｆに対して、その側面に回動可能に取り付けられている足長壁面側ストッパー１５ｊ及び屋内側ストッパー１６ｅにおける回動機構に、ロック機能及びロック解除機能を設けるようにしてもよい。
この特徴を備える本願発明の第１６の実施形態に係る掛け具５０について、図３２、図３３及び図３４を参照して説明する。
掛け具５０は、保持部５１ａと保持部５１ａの上端から延在する渡し部５１ｂとから成り、への字状に屈折して形成された保持棒５１と、保持棒５１に対する屋内側ストッパー１６ｅの回動を制限する内側回動規制部５３ａと、保持棒５１に対する足長壁面側ストッパー１５ｊの回動を制限する外側回動規制部５３ｂと、を備えることを特徴とする。
【０１２１】
具体的には、保持棒５１は、壁面側カーテンレール８と屋内側カーテンレール９との間に挿入される保持部５１ａと、屋内側カーテンレール９を越えて保持部５１ａを掛け部３ａに接続する渡し部５１ｂとによって一体的に形成されたものである。
保持部５１ａの下側両側面に、屋内側ストッパー１６ｅの一端が締結具５２ａによって回動可能に接続されている。また、保持部５１ａの上側両側面に、足長壁面側ストッパー１５ｊの一端が締結具５２ｂによって回動可能に接続されている。
【０１２２】
そして、図３３（ａ）に示すように、保持部５１ａにおける渡し部５１ｂの上面と同一平面上に形成された上面には、外側回動規制部５３ｂが締結部５４によって回動可能に取り付けられている。なお、外側回動規制部５３ｂは、渡し部５１ｂの上面に取り付けられていてもよい。
外側回動規制部５３ｂは、長方形断面を有する短片であり、足長壁面側ストッパー１５ｊの回動を許容及び制限する機能を有する。外側回動規制部５３ｂは、足長壁面側ストッパー１５ｊの回動を許容する状態においては、図３３（ｂ）に示すように、保持部５１ａの延在方向に沿うように長手側が向いている。
【０１２３】
一方、図３４（ａ）に示すように、渡し部５１ｂの同一平面上に足長壁面側ストッパー１５ｊが位置する状態になったときに、図３４（ｂ）に示すように、保持部５１ａの延在方向に垂直に長手側が向くように外側回動規制部５３ｂを回動させ、足長壁面側ストッパー１５ｊに上下方向において交差させることで、足長壁面側ストッパー１５ｊの上方への回動を制限することができることとなる。
【０１２４】
このように、外側回動規制部５３ｂによって、締結具５２ｂの締結が緩かったとしても、壁面側カーテンレール８からの反力によって上方に回動しようとする足長壁面側ストッパー１５ｊの回動を制限することができ、掛け具５０の脱落を防止できる。更に、掛け具５０のカーテンレール１００に対する取り付け時、取り外し時の自由度を向上させ、更に固定時の安定性を向上させることができる。
【０１２５】
本実施形態においては、渡し部５１ｂの同一平面上に足長壁面側ストッパー１５ｊが位置する状態になったときに、外側回動規制部５３ｂを回動させることで、足長壁面側ストッパー１５ｊの上方への回動を制限するものである。このように構成することで、屋内側カーテンレール９上に渡し部５１ｂを配置させつつ、壁面側カーテンレール８上に足長壁面側ストッパー１５ｊを配置させることができる。更には、この状態を、外側回動規制部５３ｂによって維持することができることとなる。
【０１２６】
内側回動規制部５３ａも外側回動規制部５３ｂと同様の形状を有し、同様に、保持部５１ａに対して回動することで、屋内側ストッパー１６ｅの下方への回動を許容及び制限する機能を有する。そして、屋内側カーテンレール９から掛け具５０が外れることを防止できる。
【０１２７】
なお、上記の説明においては、外側回動規制部５３ｂを回動させて、足長壁面側ストッパー１５ｊ又は屋内側ストッパー１６ｅの回動の軌道上に、外側回動規制部５３ｂを突出させてこれらの回動を制限し、又は外側回動規制部５３ｂを退入させて回動を許容することとして説明した。
しかし、本願発明は、回動を制限及び許容することができれば、このような構成に限定されない。例えば、ラチェット機構を回動部に採用するようにして、一方向のみの回動を許容しつつ他方向の回動を制限するようにしてカーテンレール１００からのか掛け具５０の抜け落ちを防止するようにしても良い。更に、ラチェット機構の歯止め部を解除可能な構成を採用することで、カーテンレール１００からの掛け具５０の取り外しを容易にすることができる。
【０１２８】
また、内側回動規制部５３ａ、外側回動規制部５３ｂの機構又はラチェット機構以外にも、回動部にカムを設け、カムを操作して回転軸からの突出位置を変更して、回動ロックと回動ロック解除を切り替えるようにしてもよい。
更には、自転車に用いられるブレーキ機構のように、保持部５１ａに対して回動する足長壁面側ストッパー１５ｊや、屋内側ストッパー１６ｅを保持部５１ａに押圧し、及び押圧を解除する部材を設けて、回動ロック及び回動ロック解除するようにしてもよく、他の機構を採用してもよい。
【０１２９】
＜第１６の実施形態に係る第１の変形例＞
上記実施形態においては、渡し部５１ｂの同一平面上に足長壁面側ストッパー１５ｊが位置することできるように構成するものとして説明した。本変形例においては、図３５に示すように、上記実施形態に係る作用を保ちつつ、屋内側カーテン３０との干渉を避けるべく、保持部５１ａに連続する側の棒状の下側渡し部５５ａと、下側渡し部５５ａの上面に固定され又は一体的に形成された棒状の上側渡し部５５ｂとを備えることを特徴とする。
このように、上側渡し部５５ｂが、屋内側カーテンレール９上に載置される下側渡し部５５ａの上面に固定されていることで、必然的に屋内側カーテンレール９から離間することとなり、屋内側カーテン３０との干渉を避けることができることとなる。
【０１３０】
＜第１６の実施形態に係る第２の変形例＞
上記実施形態においては、足長壁面側ストッパー１５ｊは、渡し部５１ｂに回転可能に取り付けられているものとして説明したが、本願発明はこのような構成に限定されない。
例えば、本変形例における足長壁面側ストッパー１５ｊは、図３６に示すように、渡し部５１ｂに同一平面上に位置して同一方向に沿う向きで固定され又は一体的に形成されている。このように構成されるものであっても、内側回動規制部５３ａが保持部５１ａに対する屋内側ストッパー１６ｅの回動を許容する状態として、壁面側カーテンレール８と屋内側カーテンレール９とに、掛け具５０を掛けることが可能である。
一方、保持部５１ａの上面が壁面側カーテンレール８に当接した状態で、内側回動規制部５３ａによって保持部５１ａに対する屋内側ストッパー１６ｅの回動を制限することで、屋内側カーテンレール９から外れることを防止できる。
なお、本変形例においても、図３５に示した構成と同様に、渡し部５１ｂを上下二段構成にしてもよい。
【０１３１】
＜その他の実施形態＞
また、上記において説明した各種掛け具を各種ごとに、又は各種組み合わせて複数本用意し、掛け部に物干し竿やロープ等の懸架部材を架け渡すようにして掛け具セットとして、より多くの洗濯物を掛けて干すようにしてもよい。
また、アジャスターとして、大小の円筒状の２部品から構成されるものであって、相互に重ねられて内接する部分がネジ切りされたものを用いるようにしてもよい。このようにすれば、ねじ込み量によって長さを調整することができる。また、この大小の円筒状における２部品の間に圧縮ばね等の弾性部材を設け、その弾性力を利用して伸縮するようなものでもよい。
【０１３２】
複数の掛け具を用いる場合において、そのうち端にある掛け具の取付位置は、カーテンレールの両端近傍に限らない。つまり、カーテンレールの幅いっぱいに掛け具を取り付けることも、エアコン等の障害物を避けるために、カーテンレールの一部に取り付けるようにしてもよく、取り付けの自由度が高い。
そして、幅の広い窓に設けられた長いカーテンレールにおいて、カーテンレールの両端にのみに掛け具を取り付け、干し竿やロープを取り付けて多くの洗濯物を掛ける場合には、その耐荷重性が問題となる。
この場合に、両端にある掛け具と掛け具の間に架け渡した干し竿やロープの間に更に、１つ又は複数個の掛け具を任意に追加することにより、耐荷重を高められることができる。このように、掛け具にかかる荷重を複数の掛け具に分散させることで、１つの掛け具に必要な耐荷重性を抑えて軽量化することができる。
【０１３３】
また、壁面７やカーテンレール１００と触れる掛け具の部分に、ゴム、可撓性樹脂又はスポンジなどの弾性材料を備えるようにすると、隙間や多少のズレを吸収することで密着性が高まり、取り付け安定性が高まるため好適である。
【０１３４】
更に、壁面側カーテンレール８と屋内側カーテンレール９のそれぞれの高さや、相互の間隔が異なる場合にも掛け具を取り付け可能なように、スライド調整機構を備えるようにしても良い。スライド調整機構としては、例えば、内筒と外筒とが重なる長さを変更してネジで位置を固定するようにしたり、複数の穴を有するレールよってスライド可能として、当該穴を通る係止具によって固定可能にしてもよい。
【０１３５】
以上の実施形態において、掛け具及び掛け具セットの各種形態について説明したが、本願発明は上記の実施形態の構成のみに限定されるものではない。その要旨を逸脱しない範囲内で、例えば、構成部材の数を増減させたり、各特徴を組み合わせようにしたりする等、種々の変更が可能である。
【０１３６】
例えば、掛け具を構成する屋内側ストッパーや壁面側ストッパー（足長壁面側ストッパー）の数については、材料費節減のためには少ないほうが好ましいが、よりカーテンレールへの取付安定性を高め、製品寿命を長くすることを目的として、複数個を設けるようにしてもよい。
このように屋内側ストッパーや壁面側ストッパー（足長壁面側ストッパー）を複数個設けるようにするのは、図２０〜図２６に示した保持棒の側面に固定されるものに適用すると特に好適である。カーテンレールに掛け具を取り付けた状態において、カーテンレールから受ける反力による曲げモーメントが生じるためである。
【０１３７】
また、上記においては、壁面側ストッパー、屋内側ストッパー等を保持棒に対して所望の回転角度で固定する一例として、保持棒と壁面側ストッパー又は屋内側ストッパーとの接続部において、ネジ穴を形成した保持棒に、壁面側ストッパー又は屋内側ストッパーの貫通孔を通るネジによって締結する方法を説明した。また、他の一例として、ネジ部を有する保持棒に、壁面側ストッパー又は屋内側ストッパーに形成された貫通孔を通して、ナットで締結するようにして、所望の回転角度で保持棒に固定するものとして説明した。
ここでネジが通る、壁面側ストッパー又は屋内側ストッパーに形成されたこれらの貫通孔は、図１２〜図１７に示した構成のように、長孔で形成されるものであってもよい。このようにすると、保持棒に対する回転角度のみならず、保持棒からの突出量を調整することができる。
【０１３８】
更に例えば、次の付記に示すような構成にしてもよい。
（付記１）
壁面に並行して固定され、前記壁面側の外側レールと前記壁面から離間する側の内側レールとから構成される一対のレール部材に取り付けられる掛け具であって、
前記外側レールにおける下側の前記内側レール側と、前記内側レールにおける上側の前記外側レール側とに接して、前記内側レールと前記外側レールとの間に挟まって保持される長尺の保持棒と、
前記保持棒の一端部から延出する掛け部と、を備え、
前記保持棒は、
前記一端部の逆側の他端部に対して分岐し、前記保持棒から一側に突出して形成され、前記外側レールに係止する外側脱落防止ストッパーと、
前記他端部側において、前記保持棒から前記一側の逆側である他側に突出して形成され、前記内側レールに係止する内側脱落防止ストッパーと、を有することを特徴とする掛け具。
（付記２）
前記保持棒はネジ穴を有し、
前記外側脱落防止ストッパーは、長手方向に延在する貫通孔を有し、前記貫通孔にネジが通されて、該ネジが前記ネジ穴に締め込まれることによって固定されていることを特徴とする付記１に記載の掛け具。
（付記３）
前記保持棒はネジを有し、
前記外側脱落防止ストッパーは、長手方向に延在する貫通孔を有し、前記貫通孔に前記ネジが通されて、ナットに締め込まれることによって固定されていることを特徴とする付記１に記載の掛け具。
（付記４）
また、前記外側脱落防止ストッパーは、厚さ方向に重ねられた複数の部材からなり、その重なり位置が締結具によって調整されることで、前記保持棒からの突出長さが可変となることを特徴とする付記１乃至３のいずれかに記載の掛け具。
【０１３９】
付記２〜４に記載の構造を備える掛け具によれば、前記足長壁面側ストッパーの長さが長手方向に任意に変えられるため、壁面側カーテンレールと壁面との距離が異なる場合でも、外側脱落防止ストッパーは潜り防止ストッパーの機能を兼ね備えることができ、また、安定して前記掛け具をカーテンレールに保持させることができる。
【符号の説明】
【０１４０】
１ａ，１ａａ，１ｂ，１ｂｂ，１ｃ，１ｄ，１ｅ，１ｆ，１ｇ，１ｈ，１ｉ，１ｊ，１ｋ，１ｍ，１ｎ，１ｏ，１ｐ，１ｑ，１ｒ，１ｓ，１ｔ，１ｕ，１ｖ，１ｗ  掛け具
２ａ，２ｂ，２ｃ，２ｅ，２ｆ，２ｈ，２ｉ，２ｊａ，２ｊｂ，２ｊｃ，２ｊｄ，２ｊｅ，２ｊｆ，２ｊｇ，２ｊｈ，２ｊｉ  保持棒
２ｂａ，２ｃａ  保持部
２ｂｂ，２ｃｂ  渡し部
３ａ，３ｂ  掛け部
４  潜り防止ストッパー
５ａ  壁面側ストッパー（外側脱落防止ストッパー）
５ｂ，５ｃ  足長壁面側ストッパー（外側脱落防止ストッパー）
６ａ，６ｂ，６ｃ  屋内側ストッパー（内側脱落防止ストッパー）
７  壁面
８  壁面側カーテンレール（外側レール）
８ａ  壁面側レール外爪
８ｂ  壁面側レール内爪
８ｃ  壁面側支点
９  屋内側カーテンレール（内側レール）
９ａ  屋内側レール内爪
９ｂ  屋内側レール外爪
９ｃ  屋内側支点
１０ａ，１０ｂ  反力
１０ｃ  方向
１１ａ  壁面側接続点
１１ｃ，１１ｄ，１１ｅ，１１ｆ  調整壁面側接続点
１１ｇ，１１ｈ  調整屋内側接続点
１５ａ，１５ｂ，１５ｅ，１５ｈ，１５ｊ，１５ｋ    足長壁面側ストッパー（外側脱落防止ストッパー）
１５ｃ  調節部
１５ｄ，１５ｇ  連結部
１５ｆ，１５ｉ，１５ｍ，１５ｎ  壁面側ストッパー（外側脱落防止ストッパー）
１６ａ，１６ｂ，１６ｃ，１６ｄ，１６ｅ，１６ｆ，１６ｇ，１６ｈ  屋内側ストッパー（内側脱落防止ストッパー）
２０ａ，２０ｄ，２２ａ  ネジ穴
２０ｂ，２０ｅ，２２ｂ  貫通孔
２０ｃ，２０ｆ，２０ｈ，２１ａ，２２ｆ，２２ｇ，２２ｋ  ネジ（外側締結具）
２２ｃ，２２ｄ，２２ｋ，２５ａ，２５ｂ  ネジ（内側締結具）
２０ｉ，２１ｃ  ナット（外側締結具）
２２ｅ  ナット（内側締結具）
２２ｈ，２２ｉ，２２ｊ，２３ｇ  締結具（外側締結具）
２３ａ，２３ｂ，２３ｃ，２３ｄ，２３ｅ  壁面側接続点
２３ｈ，２５ｃ，２５ｄ  締結具（内側締結具）
２３ｆ  接続点
２４ａ，２４ｂ，２４ｃ，２４ｄ  屋内側接続点
３０  屋内側カーテン
３１  カーテンレールフック
４０，４１，４２，４３，４４，４５  幅広ストッパー（外側脱落防止ストッパー）
４０ａ，４３ｃ  締結具
４１ａ，４２ａ，４３ａ，４４ａ，４５ａ  長手方向部
４１ｂ，４２ｂ，４３ｂ，４４ｂ，４５ｂ  幅方向部
５０  掛け具
５１  保持棒
５１ａ  保持部
５１ｂ  渡し部
５２ａ，５２ｂ  締結具
５３ａ  内側回動規制部
５３ｂ  外側回動規制部
５４  締結部
５５ａ  下側渡し部
５５ｂ  上側渡し部
１００  カーテンレール（レール部材）
１０１  カーテンレールランナー
２００  支え
【図１】
2015107320.tif 000003
【図２】
2015107320.tif 000004
【図３】
2015107320.tif 000005
【図４】
2015107320.tif 000006
【図５】
2015107320.tif 000007
【図６】
2015107320.tif 000008
【図７】
2015107320.tif 000009
【図８】
2015107320.tif 000010
【図９】
2015107320.tif 000011
【図１０】
2015107320.tif 000012
【図１１】
2015107320.tif 000013
【図１２】
2015107320.tif 000014
【図１３】
2015107320.tif 000015
【図１４】
2015107320.tif 000016
【図１５】
2015107320.tif 000017
【図１６】
2015107320.tif 000018
【図１７】
2015107320.tif 000019
【図１８】
2015107320.tif 000020
【図１９】
2015107320.tif 000021
【図２０】
2015107320.tif 000022
【図２１】
2015107320.tif 000023
【図２２】
2015107320.tif 000024
【図２３】
2015107320.tif 000025
【図２４】
2015107320.tif 000026
【図２５】
2015107320.tif 000027
【図２６】
2015107320.tif 000028
【図２７】
2015107320.tif 000029
【図２８】
2015107320.tif 000030
【図２９】
2015107320.tif 000031
【図３０】
2015107320.tif 000032
【図３１】
2015107320.tif 000033
【図３２】
2015107320.tif 000034
【図３３】
2015107320.tif 000035
【図３４】
2015107320.tif 000036
【図３５】
2015107320.tif 000037
【図３６】
2015107320.tif 000038